(57)【要約】【課題】ケーブルやパイプ等の長尺材が発熱しても、その熱の影響を受け難く、また、長尺材が金属製であってもリーダでの情報読み取りや書き込みの確実性を高めることができ、さらには、周りに複数あっても目視で識別し易い長尺材用無線ＩＣタグホルダーを提供する。【解決手段】ヒンジ部３を介して連結した状態で成型した複数の包囲部材４と、係止部５と、係止部５に係止する係止受部６と、包囲部材４に設けた無線ＩＣタグとを備え、長尺材の周囲に前記包囲部材４を巻き付けて係止部５と係止受部６とを係止することにより長尺材に無線ＩＣを取り付ける長尺材用無線ＩＣタグホルダーであって、包囲部材４により包囲した長尺材と無線ＩＣタグとの間に離隔空間７を形成するために、包囲部材４の内側に向けて突出する状態で包囲部材４に一体成型し、包囲部材４の外側表面に識別表示領域を形成し、無線ＩＣタグよりも内側に位置する包囲部材４に電磁波遮断層をする。【選択図】図１
2008299424.tif 000002
【特許請求の範囲】
【請求項１】
ヒンジ部を介して一連に連結した状態で成型した複数の包囲部材と、展開状態で一方の端部に位置する包囲部材に形成した係止部と、他方の端部に位置する包囲部材に形成されて係止部と着脱可能に係止する係止受部と、前記包囲部材に設けた無線ＩＣタグとを備え、長尺材の周囲に前記包囲部材を巻き付けて係止部と係止受部とを係止することにより長尺材に無線ＩＣを取り付ける長尺材用無線ＩＣタグホルダーであって、
包囲部材により包囲した長尺材と無線ＩＣタグとの間に離隔空間を形成するための空間形成部材を包囲部材の内側に設けたことを特徴とする長尺材用無線ＩＣタグホルダー。
【請求項２】
前記空間形成部材は、内側に向けて突出する状態で包囲部材に一体成型されたバネにより構成され、該バネが、包囲した長尺部材を一方に押圧することにより、無線ＩＣタグと長尺部材との間に離隔空間を形成するようにしたことを特徴とする請求項１に記載の長尺材用無線ＩＣタグホルダー。
【請求項３】
前記空間形成部材は、包囲部材の長手方向一端と他端に、内側に突出する状態で突設したリブにより構成され、両リブの間に位置する装着領域に無線ＩＣタグを配設し、長尺部材に巻き付けた状態でリブが長尺部材に当接して該長尺部材と無線ＩＣタグとの間に離隔空間を形成するようにしたことを特徴とする請求項１に記載の長尺材用無線ＩＣタグホルダー。
【請求項４】
包囲部材の外側表面に識別表示領域を形成したことを特徴とする請求項１から請求項３のいずれかに記載の長尺材用無線ＩＣタグホルダー。
【請求項５】
前記識別表示領域は、その表面に２μｍ〜３００μｍのシボを形成したことを特徴とする請求項４に記載の長尺材用無線ＩＣタグホルダー。
【請求項６】
無線ＩＣタグよりも内側に位置する包囲部材に電磁波遮断層を、外側に電磁波通過許容層を形成したことを特徴とする請求項１から請求項５のいずれかに記載の長尺材用無線ＩＣタグホルダー。
【発明の詳細な説明】
【技術分野】
【０００１】
本発明は、電線、光ファイバー、ＬＡＮ等のケーブルや管等の長尺材に無線ＩＣタグを取り付ける長尺材用無線ＩＣタグホルダーに関する。
【背景技術】
【０００２】
無線ＩＣタグは、識別コードなどの情報が記憶され、情報処理機能と通信機能を有する集積回路のチップと、アンテナとから概略構成されており、リーダ・ライタを使用して非接触で情報の読み取り・書き込みができるコンパクトな装置であり、バーコードに代わる識別手段、管理手段として注目されている。この無線ＩＣタグを使用して管理等を行う対象物、特に、電線、光ファイバー、ＬＡＮ等のケーブルや管等の長尺材に取り付けるには、接着剤を使用して直接対象物に接着することも考えられるが作業効率が悪い。このため、バンドの片面にＩＣタグを予め取り付けておき、このバンドを対象物に巻きつけることでＩＣタグを対象となるケーブル等の長尺材に取り付けることができるＩＣタグ付結束バンドが提案されている。
【特許文献１】特開２００３−１２０２０号公報
【発明の開示】
【発明が解決しようとする課題】
【０００３】
前記した結束バンドを使用してＩＣタグを取り付けると、一般的なＩＣタグの動作保証温度が０〜５０℃程度であり、ケーブルやパイプが高温になる場合には使用すると誤動作するなどのトラブルが発生するために事実上実用に供することができない。また、ＩＣタグがケーブルやパイプ等に直接接触していると、衝撃を直接受けてしまうことになり、故障の原因となるおそれがある。
【０００４】
また、金属パイプ等の金属製長尺材に結束バンドで取り付けると、リーダ・ライタとＩＣタグとの通信に不都合が生じることがある。
【０００５】
さらに、ケーブル等は複数本がまとめられた状態で設置されているので、これらのケーブル等にそれぞれＩＣタグが取り付けられた場合に、リーダ・ライタを近づけて情報を読み取ろうとしても、実際に読み込んだデータがどのＩＣタグの情報であるか見分けが容易ではない。
【０００６】
本発明は、これらに鑑み提案されたもので、その目的とするところは、ケーブルやパイプ等の長尺材が発熱しても、その熱の影響を受け難い長尺材用無線ＩＣタグホルダーを提供しようとするものである。また、長尺材が金属製であってもリーダ・ライタでの情報読み取りや書き込みの確実性を高めることができ、さらには、周りに複数あっても目視で識別し易い長尺材用無線ＩＣタグホルダーを提供しようとするものである。
【課題を解決するための手段】
【０００７】
本発明は、前記した目的を達成するために提案されたものであり、請求項１に記載のものは、ヒンジ部を介して一連に連結した状態で成型した複数の包囲部材と、展開状態で一方の端部に位置する包囲部材に形成した係止部と、他方の端部に位置する包囲部材に形成されて係止部と着脱可能に係止する係止受部と、前記包囲部材に設けた無線ＩＣタグとを備え、長尺材の周囲に前記包囲部材を巻き付けて係止部と係止受部とを係止することにより長尺材に無線ＩＣを取り付ける長尺材用無線ＩＣタグホルダーであって、
包囲部材により包囲した長尺材と無線ＩＣタグとの間に離隔空間を形成するための空間形成部材を包囲部材の内側に設けたことを特徴とする。
【０００８】
請求項２に記載のものは、前記空間形成部材が、内側に向けて突出する状態で包囲部材に一体成型されたバネにより構成され、該バネが、包囲した長尺部材を一方に押圧することにより、無線ＩＣタグと長尺部材との間に離隔空間を形成するようにしたことを特徴とする。
【０００９】
請求項３に記載のものは、前記空間形成部材が、包囲部材の一端と他端に、内側に突出する状態で突設したリブにより構成され、両リブの間に位置する装着領域に無線ＩＣタグを配設し、長尺部材に巻き付けた状態でリブが長尺部材に当接して該長尺部材と無線ＩＣタグとの間に離隔空間を形成するようにしたことを特徴とする。
【００１０】
請求項４に記載のものは、包囲部材の外側表面に識別表示領域を形成したことを特徴とする。
【００１１】
請求項５に記載のものは、前記識別表示領域が、その表面に２μｍ〜３００μｍのシボを形成したことを特徴とする。
【００１２】
請求項６に記載のものは、無線ＩＣタグよりも内側に位置する包囲部材に電磁波遮断層を、外側に電磁波通過許容層を形成したことを特徴とする。
【発明の効果】
【００１３】
本発明によれば、長尺材の周囲に包囲部材を巻き付けるようにして包囲し、係止部と係止受部とを係止して留めると、包囲部材の内側に設けた空間形成部材が、包囲部材により包囲した長尺材の外周面と無線ＩＣタグとの間に離隔空間を確実に形成するため、長尺材が発熱しても、この熱が無線ＩＣタグに伝わることがない。したがって、無線ＩＣタグは動作保証温度の範囲内に保たれ、誤動作や故障などのトラブルを未然に防止できる。
【００１４】
そして、包囲部材の外側表面に形成した識別表示領域に、対象となる長尺材の識別情報をマーキングしておくことができるので、リーダを近づけて無線ＩＣタグのデータを読み取る場合に、近くに同じタイプの無線ＩＣタグホルダが取り付けられていたとしても、作業者が目視でマーキングによる識別が可能となり、これにより現在、リーダと通信している無線ＩＣタグを確認することができる。したがって、読み間違えなどのミスを減少させることができる。  
【発明を実施するための最良の形態】
【００１５】
次に、本発明の好適な実施の形態にかかる長尺材用無線ＩＣタグホルダーについて図面を参照して説明する。なお、以下に記載される実施の形態は、本発明を説明する例示であり、本発明をこれらの実施の形態にのみ限定するものではない。したがって、本発明は、特許請求の範囲に記載の範囲内で様々な形態で実施することができる。
【００１６】
図１（ａ）は、本発明の第１実施形態にかかる長尺材用無線ＩＣタグホルダー１の展開状態における斜視図、図１（ｂ）は無線ＩＣタグホルダー１と無線ＩＣタグ２の平面図、図２（ａ）は、図１に示す無線ＩＣタグホルダー１の左側面図、図２（ｂ）はその正面図、図２（ｃ）はその右側面図、図２（ｄ）はその背面図、図２（ｅ）はその底面図、図３は、図１に示す無線ＩＣタグホルダー１の斜視図、図４（ａ）は長尺材に取り付けた状態における無線ＩＣタグホルダー１の正面図、図４（ｂ）はその右側面図である。
【００１７】
長尺材用無線ＩＣタグホルダー１は、薄肉に成形したヒンジ部３を介して一連に連結した状態で成型した第１乃至第３の包囲部材４ａ，４ｂ，４ｃと、展開状態で一方の端部に位置する第１包囲部材４ａに形成した係止部５と、他方の端部に位置する第３包囲部材４ｃに形成されて係止部５と着脱可能に係止する係止受部６とを備え、前記第１包囲部材４ａに無線ＩＣタグ２が設けられ、長尺材の周囲に前記包囲部材４を巻き付けて係止部５と係止受部６とを係止することにより長尺材に無線ＩＣタグ２を取り付けるものであり、第１乃至第３包囲部材４ａ，４ｂ，４ｃにより包囲した長尺材と無線ＩＣタグ２との間に離隔空間７を形成するための空間形成部材として第２包囲部材４ｂにバネ１０を内側に突出する状態で設けてある。なお、内側とは、長尺材を包囲する状態で取り付けた場合に包囲部材よりも長尺材側を意味するもので、長尺材とは反対側が包囲部材の外側となる。
【００１８】
第１包囲部材４ａは、一方の長辺にヒンジ部３を形成して他方の長辺側をほぼ９０度屈曲した断面略Ｌ字状の板材であり、長尺材を包囲した時に内側となる面（装着領域）に細長いＩＣタグ収納凹溝１１を長手方向に形成し、屈曲した他方の長辺部分のほぼ中央に、先端に鏃状の係止爪５ａを有するフックを係止部５として形成してある。また、ＩＣタグ収納凹溝１１を形成した面とは反対側の外側の表面に識別表示領域としてマーキングスペース１２を形成してある。このマーキングスペース１２は、手書きまたはテープ貼り付けなどマーキングすることができるようにした領域であり、２μｍ〜３００μｍのシボ（例えば株式会社日本エッチング社製のＨＮ１００１，株式会社棚澤八光社製のＴＨ−１２８Ａ、同ＴＨ−１７５Ａ、同ＴＨ−５０９、同ＴＨ−３３４Ａ）を形成して、手近にある鉛筆や油性マジック等で手書きによりマーキングすることができるようにしている。
【００１９】
無線ＩＣタグ２は、０．４ｍｍ角ほどのチップ２ａとアンテナ２ｂとからなるテープ状であり、アンテナ２ｂの導電部分を薄膜成形したフィルムテープの裏面に形成した粘着層（図示せず）を形成し、この粘着層の粘着力により、第１包囲部材４ａの内側に形成されたＩＣタグ収納凹溝１１内に収納固定される。なお、無線ＩＣタグ２としては、電源を内蔵しているタイプと、内蔵していないタイプとがあり、また、読み書き可能なタイプと、読み出し専用タイプとがあるが、本実施形態では、読み出し専用タイプであって、電源は備えておらず、近づけたリーダからの電磁波による渦電流により作動してリーダと通信するタイプとして説明する。
【００２０】
第２包囲部材４ｂは、一方の長辺に形成したヒンジ部３を介して第１包囲部材４ａと接続し、他方の長辺に形成したヒンジ部３を介して第３包囲部材４ｃと接続する細長な板状であり、長手方向の両端部分に板バネ１０をそれぞれ内側中央に向けて斜めに突出した状態で一体成型してある。
【００２１】
第３包囲部材４ｃは、一方の長辺に形成したヒンジ部３を介して第２包囲部材４ｂと接続して他方の長辺側をほぼ９０度屈曲した断面略Ｌ字状の板材であり、屈曲した他方の長辺部分のほぼ中央に、フック５の先端部分が貫通するスリット状の開口部６ａを開設するとともに係止爪５ａが係止可能な係止段部６ｂを形成して係止受部６とし、屈曲した部分の内側隅部には略三角形のリブ１３を内側に突出する状態で隅角部の長手方向両端と途中の４箇所に一体成型して補強してある。
【００２２】
上記した構成からなる無線ＩＣタグホルダー１は、適度の弾性と硬性を有するプラスチック（例えばポリアミド、ポリアセタール等）で形成される。そして、ヒンジ部３は、包囲部材４よりも薄肉に成型するだけでなく、接続する包囲部材４の長辺の全長の一部に形成することで必要十分な強度を確保しつつ屈曲し易く構成されている。なお、隣り合うヒンジ部３同士の間の貫通開口部１４は、後述するように、長尺材に取り付けた状態におけるＩＣタグホルダー１の内外を貫通する通気口として機能し、無線ＩＣタグ２の温度上昇を抑制する。
【００２３】
次に、無線ＩＣタグホルダー１の使用方法について説明する。
この無線ＩＣタグホルダー１を使用して無線ＩＣタグ２を電気配線やパイプ等の長尺材２０に取り付けるには、予め無線ＩＣタグ２を無線ＩＣタグホルダー１に固定しておき、この状態でヒンジ部３で屈曲しながら各包囲部材４を長尺材２０の外周に巻き付けて長尺材２０を包囲するようにして閉じ、この時にバネ１０の先端を長尺材２０の外周面に押圧しつつ第１包囲部材４ａのフックを第３包囲部材４ｃの開口部６ａ内に挿入して先端の係止爪５ａを係止段部６ｂに係止する。これにより無線ＩＣタグホルダー１は、図４に示すように、閉じた状態で確実に保持される。なお、マーキングスペース１２のマーキングは、無線ＩＣタグホルダー１を対象物である電気配線等の長尺材２０に取り付ける前であっても、取り付けた後であってもよい。また、取り外すにはフック５の先端を係止段部６ｂとは反対側に押し付けて係止爪５ａを係止段部６ｂから外しながらフック５を開口部６ａから抜くと、第１包囲部材４ａと第３包囲部材４ｃとが開いて、この状態で長尺材２０から取り外すことができる。
【００２４】
この様にして取り付けた状態では、図４（ａ）に示すように、第２包囲部材４ｂに設けたバネ１０が長尺材２０（電気配線）を反対側に位置する第３包囲部材４ｃの屈曲部分の内面乃至リブ１３に押し付けて電気配線２０を所定位置に安定させるので、電気配線２０と無線ＩＣタグ２との間に離隔空間７を確実に形成することができる。離隔空間７が形成されると、電気配線２０の温度が上昇したとしても、間に離隔空間７が存在するので、電気配線２０の熱が無線ＩＣタグ２に伝わることがない。したがって、無線ＩＣタグ２は動作保証温度の範囲内に保たれ、誤動作や故障などのトラブルを未然に防止できる。
また、本実施形態における無線ＩＣタグホルダー１は、取り付けた閉状態ではほぼ四角形箱状を呈するので、高い強度を期待することができ、衝撃を受けても潰れたりすることがない。また、衝撃を受けた場合に、電気配線２０と無線ＩＣタグ２との間に離隔空間７が存在するので、無線ＩＣタグ２に衝撃が直接伝わることを防止できる。そして、リーダを近づけて無線ＩＣタグ２のデータを読み取る場合に、無線ＩＣタグホルダー１のマーキングスペース１２にマーキングされているので、電気配線２０が近くに複数本あって、それぞれの電気配線２０に同じタイプの無線ＩＣタグホルダー１が取り付けられていたとしても、作業者が目視でマーキングによる識別が可能となり、これにより現在、リーダと通信している無線ＩＣタグ２を確認することができる。したがって、読み間違えなどのミスを減少させることができる。
さらに、無線ＩＣタグ２を包囲部材４の内側から取り付けているので、外れたり、外力を受けて損傷するなどのトラブルから保護することができる。
【００２５】
長尺材２０が金属製である場合、或いは電磁波を発生する特性がある場合などにおいてはリーダとの通信が悪影響を受けることがある。そこで、図５に示す第２の実施形態では、無線ＩＣタグ２よりも内側に位置する包囲部材４に電磁波遮断層を形成したものである。このために、ＩＣタグ収納凹溝１１に蓋体１５を設け、この蓋体１５を電磁波シールド素材、例えば、銅粉末を混練した導電性プラスチックで成型する。なお、この蓋体１５により無線ＩＣタグ２の内側を確実に覆うように蓋体１５は無線ＩＣタグ２よりも大きく成型し、また、ＩＣタグ収納凹溝１１も無線ＩＣタグ２を収納する深い部分１１ａとそれよりも浅くて大きな部分１１ｂとの段付き凹溝とする。また、第１包囲部材４ａ等は電磁波を通過させる普通のプラスチックで成型し、無線ＩＣタグ２よりも外側は電磁波通過許容層としている。
【００２６】
この様に構成した無線ＩＣタグ２ホルダにおいては、蓋体１５により無線ＩＣタグ２を被覆するので保護が一層確実になると共に、リーダが金属製長尺材２０の悪影響を受け難くなり、通信機能が向上してデータ読み取り等を良好な状態で行うことができる。
【００２７】
蓋体１５は、別個に成型してもよいが、図６に示すように、包囲部材４と一体成型してもよい。この場合、二色成型により、蓋体１５は電磁波遮断機能のある素材で成型し、ＩＣタグ収納凹溝１１となる部分は電磁波通過を許容する素材で成型して電磁波通過許容層とする。あるいは、包囲部材４等の全体を電磁波遮断機能のある素材で成型し、ＩＣタグ収納凹溝１１の底部、すなわち無線ＩＣタグ２よりも外側に位置する部位に開口部を開設してもよい。この様に構成すると、金属製長尺材２０の悪影響を受けることを防止しつつリーダとの通信機能を担保することができる。
【００２８】
また、無線ＩＣタグ２を包囲部材４に設けるには、包囲部材４の内面に収納凹溝１１を形成し、この収納凹溝１１内に無線ＩＣタグ２を後から収納するだけではなく、図７に示すように、インサート成型により成型時に内包してもよい。このインサート成型の場合、電磁波を通過させる通常のプラスチック素材により成型してもよいが、無線ＩＣタグ２よりも内側に位置する包囲部材４に電磁波遮断層を、外側に電磁波通過許容層を形成するように二色成型することが望ましい。また、全体を電磁波遮断機能のある素材で成型し、無線ＩＣタグ２よりも外側に位置する部位に開口部を開設してもよい。
【００２９】
包囲部材４により包囲した長尺材２０と無線ＩＣタグ２との間に離隔空間７を形成するための空間形成部材は、包囲部材４の内側に向けて突設したバネ１０に限定されるものではなく、離隔空間７が確実に形成される構成であればよい。例えば、図８に示す実施形態においては、第３包囲部材４ｃの長手方向一端と他端にリブ１３を内側に突出する状態で突設し、両リブ１３の間に位置する内側の面（装着領域）に無線ＩＣタグ収納凹溝１１を形成し、この収納凹溝１１内に無線ＩＣタグ２を収納する。この様に構成した無線ＩＣタグホルダー１を長尺材２０に取り付けると、長尺部材に巻き付けた状態でリブ１３が長尺部材に当接して該長尺部材と無線ＩＣタグ２との間に離隔空間７を確保する。このため、前記した第１実施形態と同様に、電気配線２０やパイプ等の長尺材２０の温度が上昇したとしても、間に離隔空間７が存在するので、長尺材２０の熱が無線ＩＣタグ２に伝わり難い。したがって、無線ＩＣタグ２は動作保証温度の範囲内に保たれ、誤動作や故障などのトラブルを未然に防止できる。
【図面の簡単な説明】
【００３０】
【図１】（ａ）は、第１実施形態にかかる長尺材用無線ＩＣタグホルダーの斜視図、（ｂ）は無線ＩＣタグホルダーと無線ＩＣタグの平面図である。
【図２】（ａ）は、図１に示す無線ＩＣタグホルダーの左側面図、（ｂ）はその正面図、（ｃ）はその右側面図、（ｄ）はその背面図、（ｅ）はその底面図である。
【図３】図１に示す無線ＩＣタグホルダーの斜視図である。
【図４】（ａ）は長尺材に取り付けた状態における無線ＩＣタグホルダーの正面図、（ｂ）はその右側面図である。
【図５】（ａ）はＩＣタグ収納凹溝に蓋体を被せる無線ＩＣタグホルダーの平面図、（ｂ）はその斜視図、（ｃ）は蓋体を被せて展開した状態における無線ＩＣタグホルダーの斜視図である。
【図６】（ａ）はＩＣタグ収納凹溝に被せる蓋体を包囲部材と一体に成型した無線ＩＣタグホルダーの斜視図、（ｂ）はその平面図である。
【図７】（ａ）は無線ＩＣタグをインサート成型した無線ＩＣタグホルダーの斜視図、（ｂ）はその平面図である。
【図８】（ａ）はリブの間に無線ＩＣタグを収納する凹溝を形成した無線ＩＣタグホルダーの斜視図、（ｂ）はその平面図である。
【符号の説明】
【００３１】
１  長尺材用無線ＩＣタグホルダー
２  無線ＩＣタグ
３  ヒンジ部
４  包囲部材
５  係止部
６  係止受部
７  離隔空間
１０  空間形成部材としてのバネ
１１  無線ＩＣタグ収納凹溝
１２  識別表示領域としてのマーキングスペース
１３  リブ
１４  貫通開口部
【図１】
2008299424.tif 000003
【図２】
2008299424.tif 000004
【図３】
2008299424.tif 000005
【図４】
2008299424.tif 000006
【図５】
2008299424.tif 000007
【図６】
2008299424.tif 000008
【図７】
2008299424.tif 000009
【図８】
2008299424.tif 000010